(57)【要約】【課題】所望の設定を簡単かつ少ない操作で簡単設定ボタンに登録することを目的とする。【解決手段】画像形成装置が、所定の設定が登録されたボタン（簡単設定ボタン）をトップ画面に表示する操作表示部を具備する画像形成装置であって、操作表示部の設定画面表示ボタンがドラッグされ、第１の場所上でドロップされると、設定画面表示ボタンの設定を簡単設定ボタンに登録する登録制御手段を具備する。【選択図】図１
2011045023.tif 000002
【特許請求の範囲】
【請求項１】
所定の設定が登録されたボタン（簡単設定ボタン）をトップ画面に表示する操作表示部を具備する画像形成装置であって、
前記操作表示部の設定画面表示ボタンがドラッグされ、第１の場所上でドロップされると、前記設定画面表示ボタンの設定を前記簡単設定ボタンに登録する登録制御手段を具備することを特徴とする画像形成装置。
【請求項２】
前記登録制御手段は、前記トップ画面の前記簡単設定ボタンがドラッグされ、第２の場所上でドロップされると、当該簡単設定ボタンを前記トップ画面から消去することを特徴とする請求項１に記載の画像形成装置。
【請求項３】
前記登録制御手段は、設定を前記簡単設定ボタンに登録する際に、同じ設定が既に登録されている場合には、同じ設定が既に登録されている旨を通知する通知画面を前記操作表示部に表示させることを特徴とする請求項１または２に記載の画像形成装置。
【請求項４】
前記登録制御手段は、設定を前記簡単設定ボタンに登録する際に、登録が一杯である場合には、当該設定の簡単設定ボタンの配置位置を選択するため配置選択画面を前記操作表示部に表示させ、前記配置選択画面で選択された位置の簡単設定ボタンを消去し、前記設定を登録した簡単設定ボタンを配置することを特徴とする請求項１〜３に記載の画像形成装置。
【請求項５】
前記登録制御手段は、設定を前記簡単設定ボタンに登録する際に、当該設定のデフォルト設定値を選択させる設定値選択画面を前記操作表示部に表示させ、前記設定値選択画面で選択された設定値を前記設定のデフォルト設定値として登録することを特徴とする請求項１〜４に記載の画像形成装置。
【発明の詳細な説明】
【技術分野】
【０００１】
本発明は、画像形成装置に関する。
【背景技術】
【０００２】
複合機、複写機及びプリンタなどの画像形成装置では、画像形成に対して多種多様な設定をすることができる。しかし、画像形成に対する多種多様な設定が可能になったことで操作が大変複雑になり、その結果、操作性の面でユーザに負担を強いることになった。そのため、上記問題を解決するものとして、簡単設定機能が搭載された画像形成装置が登場した。この簡単設定機能とは、代表的でよく使う設定をトップ画面の簡単設定ボタンに予め登録する機能である。ユーザは、簡単設定ボタンに登録されている設定をそのまま使用して画像形成を実行したり、またこのボタンを操作することで簡単に設定を変更したりすることができる。また、その他の簡単に設定できるものとして、下記特許文献１には、機能キーを特定の位置までドラッグすることで当該機能キーに割り付けられている機能を設定する画像形成装置が開示されている。
【先行技術文献】
【特許文献】
【０００３】
【特許文献１】特願２００３−１７０７１５号公報
【発明の概要】
【発明が解決しようとする課題】
【０００４】
ところで、上記従来技術では、トップ画面の簡単設定ボタンに代表的でよく使う設定を予め登録しておくことで、ユーザは、登録されている設定をそのまま使用したり、また簡単に設定を変更することができる。しかし、トップ画面の簡単設定ボタンに設定を登録する操作は複雑かつ煩雑である。そのため、取扱説明書を読みながらでなければ、所望の設定を簡単設定ボタンに登録することが困難である。
【０００５】
本発明は、上述した事情に鑑みてなされたものであり、所望の設定を簡単かつ少ない操作で簡単設定ボタンに登録することを目的とする。
【課題を解決するための手段】
【０００６】
上記目的を達成するために、本発明では、画像形成装置に係る第１の解決手段として、所定の設定が登録されたボタン（簡単設定ボタン）をトップ画面に表示する操作表示部を具備する画像形成装置であって、前記操作表示部の設定画面表示ボタンがドラッグされ、第１の場所上でドロップされると、前記設定画面表示ボタンの設定を前記簡単設定ボタンに登録する登録制御手段を具備するという手段を採用する。
【０００７】
本発明では、画像形成装置に係る第２の解決手段として、上記第１の解決手段において、前記登録制御手段は、前記トップ画面の前記簡単設定ボタンがドラッグされ、第２の場所上でドロップされると、当該簡単設定ボタンを前記トップ画面から消去するという手段を採用する。
【０００８】
本発明では、画像形成装置に係る第３の解決手段として、上記第１または第２の解決手段において、前記登録制御手段は、設定を前記簡単設定ボタンに登録する際に、同じ設定が既に登録されている場合には、同じ設定が既に登録されている旨を通知する通知画面を前記操作表示部に表示させるという手段を採用する。
【０００９】
本発明では、画像形成装置に係る第４の解決手段として、上記第１〜第３のいずれかの解決手段において、前記登録制御手段は、設定を前記簡単設定ボタンに登録する際に、登録が一杯である場合には、当該設定の簡単設定ボタンの配置位置を選択するため配置選択画面を前記操作表示部に表示させ、前記配置選択画面で選択された位置の簡単設定ボタンを消去し、前記設定を登録した簡単設定ボタンを配置するという手段を採用する。
【００１０】
本発明では、画像形成装置に係る第５の解決手段として、上記第１〜第４のいずれかの解決手段において、前記登録制御手段は、設定を前記簡単設定ボタンに登録する際に、当該設定のデフォルト設定値を選択させる設定値選択画面を前記操作表示部に表示させ、前記設定値選択画面で選択された設定値を前記設定のデフォルト設定値として登録するという手段を採用する。
【発明の効果】
【００１１】
本発明によれば、所望の設定の設定画面表示ボタンをドラック／ドロップすることで、当該設定を簡単設定ボタンに登録することができる。すなわち、ユーザは、簡単かつ少ない操作で所望の設定を簡単設定ボタンに登録することができる。
【図面の簡単な説明】
【００１２】
【図１】本発明の一実施形態に係る複合機Ａの機能ブロック図である。
【図２】本発明の一実施形態に係る複合機Ａの動作を示すフローチャートである。
【図３】本発明の一実施形態に係る複合機Ａの「基本画面」の「簡単設定画面」を示す図である。
【図４】本発明の一実施形態に係る複合機Ａの「基本画面」の「レイアウト／編集設定選択画面」を示す図である。
【図５】本発明の一実施形態に係る複合機Ａの「通知画面」を示す図である。
【図６】本発明の一実施形態に係る複合機Ａの「配置選択画面」を示す図である。
【図７】本発明の一実施形態に係る複合機Ａの「設定値選択画面」を示す図である。
【発明を実施するための形態】
【００１３】
以下、図面を参照して、本発明の一実施形態について説明する。
本実施形態に係る複合機（画像形成装置）Ａは、ＣＰＵ(Central Processing Unit)１、ＲＯＭ(Read Only Memory)２、ＲＡＭ(Random Access Memory)３、各種センサ群４、画像読取部５、画像データ記憶部６、用紙搬送／画像形成部７、通信Ｉ／Ｆ部８及び操作表示部９を備えている。なお、ＣＰＵ１、ＲＯＭ２及びＲＡＭ３は、本実施形態における登録制御手段を構成する。
【００１４】
ＣＰＵ１は、ＲＯＭ２に記憶されている制御プログラム、各種センサ群４から受信する各種検出信号、画像データ記憶部６に記憶されている原稿画像データ、プリント画像データ及びファクシミリ画像データ、通信Ｉ／Ｆ部８を介してクライアントコンピュータ（図示略）及び公衆網（図示略）から入力される各種指示及び操作表示部９から入力される操作指示に基づいて複合機Ａの全体動作を制御する。なお、このＣＰＵ１の制御処理の詳細については、以下に複合機Ａの動作として説明する。なお、上記公衆網は、公衆の電話網及び公衆のインターネットである。
ＲＯＭ２は、ＣＰＵ１で実行される制御プログラム及びその他のデータを記憶する不揮発性メモリである。
【００１５】
ＲＡＭ３は、ＣＰＵ１が制御プログラムを実行して各種動作を行う際に、データの一時保存先となるワーキングエリアとして用いられる揮発性メモリである。
各種センサ群４は、例えば、原稿セット検出センサ、用紙切れ検出センサ、用紙詰まり検出センサ、用紙位置検出センサ、温度センサ及び筐体（図示略）のカバー開閉検出センサ等の画像形成動作に必要な各種センサであり、それぞれのセンサで検出した各種の情報を検出信号としてＣＰＵ１に出力する。
【００１６】
画像読取部５は、ＡＤＦ（自動原稿送り装置）とＣＣＤ(Charge Coupled Device)センサ等を備え、ＣＰＵ１の制御の下、ＡＤＦによって順次給紙される原稿の画像をＣＣＤセンサに読み取らせ、原稿画像に基づく原稿画像データを出力する。なお、画像読取部５は、原稿画像データをＣＰＵ１へ出力し、一方、ＣＰＵ１は、原稿画像データを画像データ記憶部６に記憶させる。
【００１７】
画像データ記憶部６は、例えばフラッシュメモリまたはハードディスクであり、ＣＰＵ１の指示の下、原稿画像データ、通信Ｉ／Ｆ部８がクライアントコンピュータ（図示略）から受信するプリント画像データ及び通信Ｉ／Ｆ部８が公衆網（図示略）から受信するファクシミリ画像データを記憶する。
【００１８】
用紙搬送／画像形成部７は、プリントエンジン（感光ドラム、帯電器、現像装置及び定着ローラ等）、給紙ローラ及び排紙ローラ等を備える。この用紙搬送／画像形成部７は、ＣＰＵ１の制御の下、用紙トレイ（図示略）の記録紙を搬送し、画像データ記憶部６の画像データに基づくトナーからなる画像を記録紙に転写し、当該記録紙を排紙トレイ（図示略）に搬送する。
通信Ｉ／Ｆ部８は、外部のクライアントコンピュータ及び公衆網に接続し、このクライアントコンピュータ及び公衆網との間で各種信号の送受信を行う。
【００１９】
操作表示部９は、コピー機能切替キー、プリント機能切替キー、スキャン機能切替キー、ファクシミリ機能切替キー、スタートキー、ストップ／クリアキー、電源キー、テンキー（数値入力キー）、タッチパネル９ａ及びその他の各種操作キーを備えており、それぞれのキーの操作指示をＣＰＵ１に出力するとともに、ＣＰＵ１の制御の下、タッチパネル９ａに種々の画面を表示する。なお、コピー機能切替キー、プリント機能切替キー、スキャン機能切替キー及びファクシミリ機能切替キーは、それぞれの機能をユーザが使用する場合に、各機能の動作モードに複合機Ａを切り替えるためのキーである。
【００２０】
次に、上記構成の本実施形態に係る複合機Ａの動作について、図２を参照して説明する。
まず、複合機Ａにコピー機能の所望の設定を「基本画面」（トップ画面）の「簡単設定画面」の簡単設定ボタンに登録しようとするユーザは、所望の設定の設定画面を表示するための設定画面表示ボタンをタッチパネル９ａに表示させる。
【００２１】
上記「基本画面」の「簡単設定画面」について、図３を参照して、説明する。「基本画面」とは、複合機Ａのコピー機能におけるトップ画面である。この「基本画面」では、図３に示すように、簡単設定タブボタン、原稿／用紙／仕上げタブボタン、画質タブボタン、レイアウト／編集タブボタン及び応用／その他タブボタンを表示する。
【００２２】
そして、「基本画面」は、簡単設定タブボタンが選択されると、図３に示す「簡単設定画面」を表示する。「簡単設定画面」は、簡単設定ボタンを表示する画面である。簡単設定ボタンは、所望の設定を登録するボタンであり、６個の設定を登録することができる。また、「簡単設定画面」には、「消去」ボタンが表示されている。なお、「消去」ボタンを使用した処理ついては、後述する。
【００２３】
ＣＰＵ１は、「基本画面」のレイアウト／編集タブボタンが押下されると、「基本画面」の「レイアウト／編集設定選択画面」をタッチパネル９ａに表示させる（ステップＳ１）。
上記「レイアウト／編集設定選択画面」について、図４を参照して、説明する。
「レイアウト／編集設定選択画面」は、レイアウト／編集に関する設定の設定画面表示ボタンを表示する画面であり、図４に示すように設定画面表示ボタン（「縮小／拡大」、「ページ集約」、「とじしろ／センター移動」、「枠消し」、「小冊子」、「両面／分割」、「表紙付け」、「イメージ合成」、「ページ番号」及び「書き込み余白」ボタン）を表示する。
【００２４】
図２に戻り、ＣＰＵ１は、ステップＳ１の後に、「レイアウト／編集設定選択画面」の「ページ集約」ボタンがドラッグされ、簡単設定タブボタン（第１の場所）上でドロップされたか否か判定し（ステップＳ２）、ステップＳ２において『ＮＯ』と判定した場合には、すなわち「ページ集約」ボタンが簡単設定タブボタン上でドロップされていない場合には、待機する。ＣＰＵ１は、ステップＳ２において『ＹＥＳ』と判定した場合には、すなわち「ページ集約」ボタンが簡単設定タブボタン上でドロップされた場合には、「簡単設定画面」の簡単設定ボタンに「ページ集約」が登録されているか否か判定する（ステップＳ３）。
【００２５】
ＣＰＵ１は、ステップＳ３において『ＹＥＳ』と判定した場合には、すなわち「ページ集約」設定が登録されている場合には、「レイアウト／編集設定選択画面」から「簡単設定画面」に切り替り、「ページ集約」設定が既に登録されている旨を通知する「通知画面」（図５参照）をタッチパネル９ａに表示させる（ステップＳ４）。なお、上記「通知画面」は、「簡単設定画面」の簡単設定ボタンに重ならないように表示され、「ＯＫ」ボタンが押下されると閉じる。
【００２６】
ＣＰＵ１は、ステップＳ３において『ＮＯ』と判定した場合には、すなわち「ページ集約」設定が登録されていない場合には、設定の登録が一杯（６個）であるか否か判定する（ステップＳ５）。
ＣＰＵ１は、ステップＳ５において『ＹＥＳ』と判定した場合には、すなわち設定の登録が一杯である場合には、「簡単設定画面」に切り替り、登録する設定の簡単設定ボタンの配置位置を選択するための「配置選択画面」（図６参照）を表示させ、選択された位置の簡単設定ボタンを消去する（ステップＳ６）。なお、上記「配置選択画面」は、「簡単設定画面」の簡単設定ボタンに重ならないように表示される。
【００２７】
ＣＰＵ１は、ステップＳ６の後に、登録する「ページ集約」設定のデフォルト値を選択するための「設定値選択画面」（図７参照）を表示させ、選択された設定値をデフォルト設定値とする「ページ集約」設定を登録した簡単設定ボタンをステップＳ６において洗濯された位置に配置する（ステップＳ７）。
ＣＰＵ１は、ステップＳ５において『ＮＯ』と判定した場合には、すなわち設定の登録が一杯ではない場合には、ステップＳ７に移行して、「ページ集約」設定を登録した簡単設定ボタンを空いている位置に作成する。
ＣＰＵ１は、ステップＳ７の後に、「簡単設定画面」の「ページ集約」の簡単設定ボタンがドラッグされ、「消去」ボタン（第２の場所）上でドロップされると、「ページ集約」の簡単設定ボタンを消去する。（ステップＳ８）。
【００２８】
以上のように、本実施形態に係る複合機Ａでは、所望の設定の設定画面表示ボタンをドラック／ドロップすることで、当該設定を簡単設定ボタンに登録することができる。すなわち、ユーザは、簡単かつ少ない操作で所望の設定を簡単設定ボタンに登録することができる。
【符号の説明】
【００２９】
Ａ…複合機、１…ＣＰＵ、２…ＲＯＭ、３…ＲＡＭ、４…各種センサ群、５…画像読取部、６…画像データ記憶部、７…用紙搬送／画像形成部、８…通信Ｉ／Ｆ部、９…操作表示部、９ａ…タッチパネル
【図１】
2011045023.tif 000003
【図２】
2011045023.tif 000004
【図３】
2011045023.tif 000005
【図４】
2011045023.tif 000006
【図５】
2011045023.tif 000007
【図６】
2011045023.tif 000008
【図７】
2011045023.tif 000009